(57)【特許請求の範囲】
【請求項１】
回転駆動されて植立穀稈を掻き込む回転リールが備えられ、
前記回転リールに、左右一対のリールフレームと、前記左右一対のリールフレームに亘って架け渡され、左右方向に沿って延びる複数の支持フレームと、前記支持フレームに左右方向に沿って並ぶ状態で支持される複数のタインと、が備えられ、
前記複数のタインに、前記支持フレームの左右方向端部側に位置し、前記支持フレームに連結された取付フレームに取り付けられるタインと、前記支持フレームの左右方向中央部側に位置し、前記支持フレームに直接取り付けられるタインと、が含まれ、
前記取付フレームが、前記支持フレームの下部に支持され、
前記取付フレームに取り付けられるタインが、前記取付フレームよりも下方部分に形成されて植立穀稈に掻き込み作用する作用部を備え、
前記支持フレームに直接取り付けられるタインが、前記取付フレームに対応する部分よりも下方部分に形成されて植立穀稈に掻き込み作用する作用部を備え、
前記取付フレームに取り付けられるタインの作用部と、前記支持フレームに直接取り付けられるタインの作用部とが、同じ高さ位置に揃えられ、かつ、側面視で同一形状とされている普通型コンバイン。
【請求項２】
前記支持フレームの左端部側の２つのタイン、及び、前記支持フレームの右端部側の２つのタインが、前記取付フレームに取り付けられている請求項１に記載の普通型コンバイン。
【請求項３】
前記複数のタインのうち最も左右方向端部に位置するタインが、前記取付フレームに取り付けられている請求項１または２に記載の普通型コンバイン。
【請求項４】
前記取付フレームに取り付けられるタインが、前記取付フレームと面接触した状態で前記取付フレームに取り付けられている請求項１〜３のいずれか一項に記載の普通型コンバイン。
【請求項５】
前記タインに、前記支持フレームまたは前記取付フレームに連結される連結部と、前記連結部から延出されるとともに、前記作用部を延出させたバネ部とが備えられ、
前記タインが貫通する状態で前記支持フレームと前記取付フレームとを覆うカバーが備えられ、
前記カバーを前記支持フレームに取り付けるバンド状の留め具が、左右方向に隣接する一対のタイン間にそれぞれ備えられ、
前記留め具は、側面視において、前記支持フレームと前記バネ部との間で前記カバーに貫通されている請求項１〜４のいずれか一項に記載の普通型コンバイン。
【請求項６】
前記タインに、前記支持フレームまたは前記取付フレームに連結される連結部と、前記連結部から延出されるとともに、前記作用部を延出させたバネ部とが備えられ、
前記取付フレームが、内部に空間を形成する溝型状の形状とされると共に、前記取付フレームの下部にスリットが形成され、
前記取付フレームに取り付けられるタインは、前記バネ部が前記空間に位置すると共に前記作用部が前記スリットを貫通して下方へ延出する状態で前記連結部が前記空間において前記取付フレームに連結されることで、前記取付フレームに取り付けられている請求項１〜５のいずれか一項に記載の普通型コンバイン。
【請求項７】
前記タインに、前記支持フレームまたは前記取付フレームに連結される連結部と、前記連結部から延出されるとともに、前記作用部を延出させたバネ部とが備えられ、
前記支持フレームに直接取り付けられるタインは、前記バネ部が前記支持フレームの下部に隣り合っている状態で前記連結部が前記支持フレームの上部に連結されることで、前記支持フレームに取り付けられている請求項１〜６のいずれか一項に記載の普通型コンバイン。
【請求項８】
前記タインに、前記支持フレームまたは前記取付フレームに連結される連結部と、前記連結部から延出されるとともに、前記作用部を延出させたバネ部とが備えられ、
前記複数のタインのうち最も左右方向端部に位置するタインは、前記作用部が前記バネ部よりも左右方向端部側に位置する状態で設けられている請求項１〜７のいずれか一項に記載の普通型コンバイン。
【発明の詳細な説明】
【技術分野】
【０００１】
本発明は、回転駆動されて植立穀稈を掻き込む回転リールが備えられた普通型コンバインに関する。
【背景技術】
【０００２】
例えば、下記の特許文献１に、従来の普通型コンバインが記載されている。この普通型コンバインには、回転駆動されて植立穀稈を掻き込む回転リールが備えられている。回転リールには、左右一対のリールフレーム（特許文献１では「リール枠」）と、左右一対のリールフレームに亘って架け渡され、左右方向に沿って延びる複数の支持フレーム（特許文献１では「タイン支持部」）と、支持フレームに左右方向に沿って並ぶ状態で支持される複数のタインと、が備えられている。
【先行技術文献】
【特許文献】
【０００３】
【特許文献１】特開２００９−３９０２６号公報
【発明の概要】
【発明が解決しようとする課題】
【０００４】
ところで、普通型コンバインでは、例えば凹凸のある圃場を走行する場合等に、回転リールが地面に対して傾くことがあり、回転リールの左右方向端部側に位置するタインが、地面に対して比較的接触しやすくなっている。上記特許文献１に示されている技術では、回転リールの支持フレームに支持される複数のタインの全てが、支持フレームに直接取り付けられているので、回転リールの左右方向端部側に位置するタインが地面に接触した際に、支持フレームの左右方向端部側の箇所に大きな負荷が掛かる構造となっていた。一方、支持フレームの全幅に亘って補強用の取付フレームを取り付け、支持フレームに支持される複数のタインの全てを、その取付フレームに取り付ける構造も考えられるが、そのような構造であると、取付フレームが大型化する等して、回転リールの製造コストが大幅に増加するおそれがあった。
【０００５】
上記実状に鑑み、製造コストの増加を抑えながら、回転リールの耐久性を良好なものにできる普通型コンバインの提供が望まれていた。
【課題を解決するための手段】
【０００６】
本発明に係る普通型コンバインの特徴構成は、
回転駆動されて植立穀稈を掻き込む回転リールが備えられ、
前記回転リールに、左右一対のリールフレームと、前記左右一対のリールフレームに亘って架け渡され、左右方向に沿って延びる複数の支持フレームと、前記支持フレームに左右方向に沿って並ぶ状態で支持される複数のタインと、が備えられ、
前記複数のタインに、前記支持フレームの左右方向端部側に位置し、前記支持フレームに連結された取付フレームに取り付けられるタインと、前記支持フレームの左右方向中央部側に位置し、前記支持フレームに直接取り付けられるタインと、が含まれ、
前記取付フレームが、前記支持フレームの下部に支持され、
前記取付フレームに取り付けられるタインが、前記取付フレームよりも下方部分に形成されて植立穀稈に掻き込み作用する作用部を備え、
前記支持フレームに直接取り付けられるタインが、前記取付フレームに対応する部分よりも下方部分に形成されて植立穀稈に掻き込み作用する作用部を備え、
前記取付フレームに取り付けられるタインの作用部と、前記支持フレームに直接取り付けられるタインの作用部とが、同じ高さ位置に揃えられ、かつ、側面視で同一形状とされている点にある。
【０００７】
本発明によると、支持フレームに支持される複数のタインのうち地面に対する接触が比較的生じ易い支持フレームの左右方向端部側に位置するタインは、支持フレームに連結された取付フレームに取り付けられている。よって、回転リールが傾いて支持フレームの左右方向端部側に位置するタインが地面に接触したとしても、取付フレームにより衝撃が吸収され、支持フレームの左右方向端部側に大きな負荷が掛からず、支持フレームの破損等を好適に抑止できる。一方、支持フレームに支持される複数のタインのうち地面に対する接触が比較的生じ難い支持フレームの左右中央側に位置するタインは、支持フレームに直接取り付けられるので、取付フレームがない分、製造コストを抑えることができる。
したがって、本発明であれば、製造コストの増加を抑えながら、回転リールの耐久性を良好なものにできる。
また、本発明によれば、回転リールを回転駆動する際に、支持フレームに直接取り付けられるタインの掻き込み作用と、取付フレームを介して支持フレームに支持されるタインの掻き込み作用とに、差異が生じないようにできる。つまり、回転リール全体において植立穀稈の掻き込み作用が左右方向に均一化され、回転リールにより植立穀稈を安定して掻き込むことができる。
【０００８】
本発明において、前記支持フレームの左端部側の２つのタイン、及び、前記支持フレームの右端部側の２つのタインが、前記取付フレームに取り付けられていると好適である。
【０００９】
本構成によれば、回転リールが地面に対して左右のどちらに傾いたとしても、支持フレームの左端部側に支持されるタインと支持フレームの右端部側に支持されるタインとが、いずれも取付フレームにより補強されているので、支持フレームの左端部及び右端部のいずれにも大きな負荷がかかりにくい構造にできる。
【００１０】
本発明において、前記複数のタインのうち最も左右方向端部に位置するタインが、前記取付フレームに取り付けられていると好適である。
【００１１】
本構成によれば、支持フレームに支持される複数のタインのうち最も地面に対する接触が生じやすい左右方向端部に位置するタインが、取付フレームを介して支持フレームに支持されているので、地面に対するタインの接触により支持フレームに大きな負荷がかかることを確実に抑止できる。
【００１２】
本発明において、前記取付フレームに取り付けられるタインが、前記取付フレームと面接触した状態で前記取付フレームに取り付けられていると好適である。
【００１３】
本構成によれば、取付フレームに取り付けられるタインが、取付フレームに対して広い範囲で接触した状態で取り付けられているので、回転リールの掻き込み時にタインに作用する力が取付フレームにより好適に吸収され、支持フレームに伝達されにくいようにできる。
【００１４】
【００１５】
【００１６】
本発明において、前記タインに、前記支持フレームまたは前記取付フレームに連結される連結部と、前記連結部から延出されるとともに、前記作用部を延出させたバネ部とが備えられ、
前記タインが貫通する状態で前記支持フレームと前記取付フレームとを覆うカバーが備えられ、
前記カバーを前記支持フレームに取り付けるバンド状の留め具が、左右方向に隣接する一対のタイン間にそれぞれ備えられ、
前記留め具は、側面視において、前記支持フレームと前記バネ部との間で前記カバーに貫通されていると好適である。
【００１７】
本構成によれば、支持フレームまたは取付フレームに対するタインの支持部がカバーによって覆われるので、タインの支持部に藁が絡み付くことが防止され、掃除等のメンテナンス作業を省力化できる。
【００１８】
本発明において、前記タインに、前記支持フレームまたは前記取付フレームに連結される連結部と、前記連結部から延出されるとともに、前記作用部を延出させたバネ部とが備えられ、
前記取付フレームが、内部に空間を形成する溝型状の形状とされると共に、前記取付フレームの下部にスリットが形成され、
前記取付フレームに取り付けられるタインは、前記バネ部が前記空間に位置すると共に前記作用部が前記スリットを貫通して下方へ延出する状態で前記連結部が前記空間において前記取付フレームに連結されることで、前記取付フレームに取り付けられていると好適である。
【００１９】
本構成によれば、取付フレームに取り付けられるタインは、緩衝作用を有するバネ部を有しているので、作用部から伝達される力をバネ部により好適に吸収できる。そして、溝型状の取付フレームによりタインのバネ部を囲い、取付フレームのスリットからタインの作用部を下方へ延出させた状態で、タインの連結部を取付フレームに連結しているので、取付フレームにより、タインに伝達される力が好適に吸収され、支持フレームに大きな負荷が掛からない構造にできる。
【００２０】
本発明において、前記タインに、前記支持フレームまたは前記取付フレームに連結される連結部と、前記連結部から延出されるとともに、前記作用部を延出させたバネ部とが備えられ、
前記支持フレームに直接取り付けられるタインは、前記バネ部が前記支持フレームの下部に隣り合っている状態で前記連結部が前記支持フレームの上部に連結されることで、前記支持フレームに取り付けられていると好適である。
【００２１】
本構成によれば、支持フレームに直接取り付けられるタインは、緩衝作用を有するバネ部を有しているので、作用部から伝達される力をバネ部により好適に吸収できる。そして、支持フレームに直接取り付けられるタインは、バネ部が支持フレームの下部に隣り合っている状態で連結部が支持フレームの上部に連結されているので、支持フレームに対する接触面積が広く確保され、支持フレームに安定して支持されるものにできる。
【００２２】
本発明において、前記タインに、前記支持フレームまたは前記取付フレームに連結される連結部と、前記連結部から延出されるとともに、前記作用部を延出させたバネ部とが備えられ、
前記複数のタインのうち最も左右方向端部に位置するタインは、前記作用部が前記バネ部よりも左右方向端部側に位置する状態で設けられていると好適である。
【００２３】
本構成によれば、回転リール全体における掻き込み作用範囲が左右方向に広くなるので、支持フレームの左右方向端部に対応する箇所の植立穀稈をしっかりと掻き込むことが可能となり、植立穀稈の刈り残しの発生を抑えることができる。
【図面の簡単な説明】
【００２４】
【図１】全稈投入型コンバインの全体側面図である。
【図２】全稈投入型コンバインの全体平面図である。
【図３】刈取部を示す側面図である。
【図４】回転リールを示す正面図である。
【図５】カバーを外した状態の回転リールを示す正面図である。
【図６】タインの周辺を示す側面視の断面図であって、（Ａ）は、図４におけるＶＩＡ−ＶＩＡ断面図であり、（Ｂ）は、図４におけるＶＩＢ−ＶＩＢ断面図である。
【図７】支持アームを示す側面視の断面図である。
【図８】支持アームを示す平面図である。
【図９】図８におけるＩＸ−ＩＸ断面図である。
【発明を実施するための形態】
【００２５】
以下、本発明の一例である実施形態を、図面に基づいて説明する。
図１、図２等に示される普通型コンバインは、稲、麦、大豆等の作物を収穫するように構成されている。普通型コンバインには、左右一対のクローラ式の走行装置１１に機体フレーム１２が支持された自走式の走行機体が備えられている。そして、この普通型コンバインには、植立穀稈を刈り取る刈取部１３、刈取穀稈の全稈を脱穀処理する脱穀装置１４、脱穀処理された穀粒を貯留する穀粒貯留部１５、操縦者が運転操作を行う運転部１６等が備えられている。
【００２６】
脱穀装置１４は、走行機体の後部側に配置され、刈取部１３の後方側、且つ、運転部１６の横側部側に位置している。穀粒貯留部１５は、走行機体の後部側に配置され、運転部１６の後方側、且つ、脱穀装置１４の横側部側に位置している。
【００２７】
刈取部１３は、走行機体の前部側に配置されている。刈取部１３は、油圧シリンダからなる刈取昇降シリンダ１７の駆動により、刈取作業を行う下降作業位置と、刈取作業を行わない上昇非作業位置との間で、刈取昇降軸心Ｐ１周りに上下昇降可能に構成されている。
【００２８】
図２に示されるように、刈取部１３の刈幅（刈取部１３の左右方向の幅）は、左右の走行装置１１の横外端部間の距離よりも大きくなっている。つまり、刈取部１３による植立穀稈が刈り取られた後に形成される走行装置１１の踏みしろが、左右方向に大きく確保されるので、走行装置１１による未刈穀稈の踏みつけが生じにくくなっている。
【００２９】
図１〜図３に示されるように、刈取部１３には、刈取フレーム１８と、植立穀稈を梳き分ける左右一対のデバイダ１９と、回転駆動されて植立穀稈を掻き込む回転リール２０と、植立穀稈の株元を切断する刈刃装置２１と、刈取穀稈を寄せ集める横送りオーガ２２と、刈取穀稈を掻き上げ搬送するフィーダ２３と、が備えられている。左右のデバイダ１９、回転リール２０、刈刃装置２１、横送りオーガ２２は、刈取フレーム１８に支持されている。刈取フレーム１８の左右中心から左右一方側に偏倚した箇所にフィーダ２３の前端部が連結されている。
【００３０】
刈取部１３による植立穀稈の刈り取り動作は、おおむね次のようになる。まず、走行機体の走行に伴い、左右のデバイダ１９により植立穀稈を梳き分ける。そして、左右のデバイダ１９の間に位置する植立穀稈を、回転駆動される回転リール２０により掻き込みながら、刈刃装置２１により植立穀稈の株元を切断する。そして、横送りオーガ２２の回転駆動により機体左右中央側へ刈取穀稈を寄せ集めながら後方へ送る。そして、フィーダ２３により、横送りオーガ２２から供給された刈取穀稈を、脱穀装置１４へと掻き上げ搬送する。
【００３１】
［回転リールについて］
図１、図３に示されるように、回転リール２０は、側面視で略六角形の形状を呈している。回転リール２０は、刈取フレーム１８の上端部に支持される支持アーム２４の前端部に支持されている。支持アーム２４には、刈取フレーム１８に一端が連結される油圧シリンダからなるリール昇降シリンダ２５の他端が連結されている。つまり、回転リール２０は、リール昇降シリンダ２５の駆動によりリール昇降軸心Ｐ２周りに揺動可能となっており、刈取フレーム１８に対して上下昇降可能に構成されている。
【００３２】
図１、図３〜図５に示されるように、回転リール２０には、左右方向に沿って延びる駆動軸２６と、左右一対のリールフレーム２８と、左右方向に沿って延びる複数の支持フレーム２９と、下方に向けて延びる複数のタイン３０と、中間フレーム３１と、姿勢保持機構３２と、が備えられている。
【００３３】
図１、図３〜図５に示されるように、駆動軸２６は、左右両端部が、夫々、左右の支持アーム２４の前端部に回動自在に支持され、ベルト式の動力伝達機構３３から伝達された動力により回転駆動されるように構成されている。左右のリールフレーム２８は、夫々、六角形状の形状を呈している。左右のリールフレーム２８の６つの頂部間に、夫々、支持フレーム２９が左右方向に亘って掛け渡されている。各支持フレーム２９は、左右のリールフレーム２８に回動自在に支持されている。中間フレーム３１は、左右のリールフレーム２８の間に配置され、左右のリールフレーム２８と略同様の構造とされている。中間フレーム３１は、駆動軸２６の左右中間部分に連結され、各支持フレーム２９の左右中間部分を挿通支持している。複数のタイン３０は、支持フレーム２９毎に設けられ、支持フレーム２９の左右方向に沿って並ぶ状態で支持されている。
【００３４】
図３〜図５に示されるように、姿勢保持機構３２は、左右のリールフレーム２８のいずれか一方の近傍に配置されている。姿勢保持機構３２には、略六角形状の形状を呈した補助回転フレーム３４と、補助回転フレーム３４の６つの頂部毎に設けられ、補助回転フレーム３４の各頂部と各支持フレーム２９とを夫々連結するリンク３５と、が備えられている。左右のリールフレーム２８が、横向きの第一横軸心Ｘ１周りに回転駆動される際に、補助回転フレーム３４が、第一横軸心Ｘ１とは位置ずれした横向きの第二横軸心Ｘ２周りに回転駆動される。これにより、タイン３０が下向き姿勢を保ったまま、第一横軸心Ｘ１周りに回転移動するようになっている。
【００３５】
［支持フレームについて］
図３〜図５に示されるように、複数の支持フレーム２９には、第一フレーム２９Ａと、第二フレーム２９Ｂと、が含まれている。第一フレーム２９Ａと第二フレーム２９Ｂとは、夫々、断面が円形状のパイプフレームにより構成されている。第一フレーム２９Ａと第二フレーム２９Ｂとは、回転リール２０の回転駆動方向に交互に並ぶように配置されている。
【００３６】
図４、図５に示されるように、第一フレーム２９Ａと第二フレーム２９Ｂとは、タイン３０の並び間隔が互いに異なっている。具体的には、第一フレーム２９Ａにおけるタイン３０の並び間隔と、第二フレーム２９Ｂにおけるタイン３０の並び間隔とは、半ピッチずれた関係となっている。説明を加えると、左右両端部に位置するタイン３０を除いて、第一フレーム２９Ａにおけるタイン３０の掻き込み軌跡と、第二フレーム２９Ｂにおけるタイン３０の掻き込み軌跡とが、左右方向に略等しい間隔で並ぶようになっている。これにより、回転リール２０の回転駆動時に、第一フレーム２９Ａに支持されるタイン３０と、第二フレーム２９Ｂに支持されるタイン３０とにより、刈取部１３の刈幅内に位置する植立穀稈を万遍なく掻き込むことができる。
【００３７】
［タインについて］
図４〜図６に示されるように、支持フレーム２９に支持される複数のタイン３０には、支持フレーム２９の左右方向端部側に位置し、支持フレーム２９に連結された取付フレーム３６に取り付けられる第一タイン３０Ａ（「タイン」の一例）と、支持フレーム２９の左右方向中央部側に位置し、支持フレーム２９に直接取り付けられる第二タイン３０Ｂ（「タイン」の一例）と、が含まれている。この実施形態では、支持フレーム２９に支持される複数のタイン３０として、支持フレーム２９の左右方向端部側に位置し、支持フレーム２９に連結された取付フレーム３６に取り付けられるタイン３０と、支持フレーム２９の左右方向中央部側に位置し、支持フレーム２９に直接取り付けられるタイン３０のみが備えられている。
【００３８】
図４、図５に示されるように、支持フレーム２９の左端部側の２つの第一タイン３０Ａ、及び、支持フレーム２９の右端部側の２つの第一タイン３０Ａは、いずれも取付フレーム３６に取り付けられている。つまり、複数のタイン３０のうち最も左右方向端部に位置する第一タイン３０Ａが、取付フレーム３６に取り付けられている。
【００３９】
図４、図５、図６（Ａ）に示されるように、取付フレーム３６は、支持フレーム２９における左端部、及び、右端部の夫々に配置されている。取付フレーム３６は、支持フレーム２９の下部に支持されている。取付フレーム３６は、側面視で略Ｕ字形状の溝型状の部材により構成されている。取付フレーム３６には、縦向きの縦部３７と、縦部３７の上端部に連設される横向きの上フランジ部３８と、縦部３７の下端部に連設される横向きの下フランジ部３９と、が備えられている。上フランジ部３８の上端部は、支持フレーム２９の下端部に溶接等により固定されている。取付フレーム３６の下端部には、縦部３７の下端部から下フランジ部３９の前端部に亘るスリット４０が形成されている。取付フレーム３６は、縦部３７、上フランジ部３８、下フランジ部３９により囲まれる空間Ｓを有している。すなわち、取付フレーム３６は、内部に空間Ｓを形成する溝型状の形状とされると共に、取付フレーム３６の下部にスリット４０が形成されているものとされている。
【００４０】
図５、図６（Ａ）に示されるように、取付フレーム３６に取り付けられるタイン３０である第一タイン３０Ａには、取付フレーム３６の縦部３７に連結される第一連結部４１（「連結部」の一例）と、第一連結部４１から延出される第一バネ部４２（「バネ部」の一例）と、第一バネ部４２から延出され、植立穀稈に掻き込み作用する第一作用部４３（「作用部」の一例）と、が備えられている。第一バネ部４２は、第一連結部４１と第一作用部４３との間に備えられる２回巻の弦巻状のねじりバネとされ、回転リール２０の回転駆動に伴う植立穀稈や地面等からの掻込み反力による第一作用部４３の曲げ変位を、縮径方向（または拡径方向）の弾性変形によって吸収できるように構成されている。第一作用部４３は、第一バネ部４２から下方に延出されてから、後方に向けて屈曲し、斜め後ろ下がりに延出される形状となっている。
【００４１】
取付フレーム３６に取り付けられるタイン３０である第一タイン３０Ａは、第一バネ部４２が空間Ｓに位置すると共に第一作用部４３がスリット４０を貫通して下方へ延出する状態で第一連結部４１が空間Ｓにおいて取付フレーム３６に連結されることで、取付フレーム３６に取り付けられている。
【００４２】
図６（Ａ）に示されるように、第一タイン３０Ａの第一連結部４１は、ボルトとナットの組み合わせ等からなる第一連結具４４により、取付フレーム３６に取り付けられており、第一連結部４１と取付フレーム３６の縦部３７とが面接触した状態となっている。
【００４３】
図４、図５、図６（Ｂ）に示されるように、支持フレーム２９に支持される複数のタイン３０のうち最も左右方向端部に位置する第一タイン３０Ａは、第一作用部４３が第一バネ部４２よりも左右方向端部側に位置する状態で設けられている。第一タイン３０Ａのうち左右一方側の端部に位置する第一タイン３０Ａは、他の第一タイン３０Ａとは左右対称の構造となっている。これにより、この左右方向端部に位置する第一タイン３０Ａの第一作用部４３が、デバイダ１９側に近付いて配置されるものとなる。その結果、回転リール２０による掻き込み作用範囲が左右方向に広くなり、倒伏穀稈の掻き起こし漏れが少なくなり、刈取部１３の刈残しの発生を好適に抑止できる。
【００４４】
図６（Ａ）に示されるように、第二タイン３０Ｂには、Ｌ字状に屈曲形成されて先端が環状になった第二連結部４５（「連結部」の一例）と、第二連結部４５から延出される弦巻状の第二バネ部４６（「バネ部」の一例）と、第二バネ部４６から延出され、植立穀稈に掻き込み作用する第二作用部４７（「作用部」の一例）と、が備えられている。第二バネ部４６は、第二連結部４５と第二作用部４７との間に備えられる２回巻の弦巻状のねじりバネとされ、回転リール２０の回転駆動に伴う植立穀稈や地面等からの掻込み反力による第二作用部４７の曲げ変位を、縮径方向（または拡径方向）の弾性変形によって吸収できるように構成されている。第二作用部４７は、第二バネ部４６から下方に延出されてから、後方に向けて屈曲し、斜め後ろ下がりに延出される形状となっている。
【００４５】
支持フレーム２９には、第二タイン３０Ｂを取り付けるための貫通孔部４８が形成されている。第二タイン３０Ｂの第二連結部４５は、支持フレーム２９の貫通孔部４８に、ボルトとナットの組み合わせ等からなる第二連結具４９の締結により連結されている。このように、第二タイン３０Ｂは、支持フレーム２９に直接取り付けられている。また、支持フレーム２９に直接取り付けられる第二タイン３０Ｂは、第二バネ部４６が支持フレーム２９の下部に隣り合っている状態で第二連結部４５が支持フレーム２９の上部に連結されることで、支持フレーム２９に取り付けられている。
【００４６】
図６（Ａ）、図６（Ｂ）に示されるように、取付フレーム３６に取り付けられる第一タイン３０Ａのうち取付フレーム３６よりも下方部分の形状と、支持フレーム２９に直接取り付けられる第二タイン３０Ｂのうち取付フレーム３６に対応する部分よりも下方部分の形状とは、側面視で同一形状とされている。
【００４７】
［カバーについて］
図４、図６に示されるように、タイン３０が貫通する状態で支持フレーム２９及び取付フレーム３６を外側から覆うカバー５０が備えられている。カバー５０は、可撓性を有する板状部材により構成されている。カバー５０は、第一タイン３０Ａの第一作用部４３及び第二タイン３０Ｂの第二作用部４７を夫々貫通させてから、支持フレーム２９の上側において端部を重ね、左右方向に所定間隔毎に配置される複数のバンド状の留め具５１を外側から巻き付けることにより、支持フレーム２９に取り付けられている。カバー５０は、第一タイン３０Ａの第一バネ部４２、第二タイン３０Ｂの第二バネ部４６をも外側から覆っている。これにより、第一バネ部４２や第二バネ部４６に藁の絡み付きが生じ難くなっている。
【００４８】
このように、支持フレーム２９に支持される複数のタイン３０のうち左右方向端部側に位置する第一タイン３０Ａを取付フレーム３６を介して支持フレーム２９に支持し、支持フレーム２９に支持される複数のタイン３０のうち左右中央側に位置する第二タイン３０Ｂを支持フレーム２９に直接支持するようにしている。これにより、回転リール２０が傾いて、第一タイン３０Ａが地面に接触したとしても、取付フレーム３６による補強がなされているので、支持フレーム２９の左右方向端部側に大きな負荷が掛かることがなく、支持フレーム２９の耐久性を良好なものにでき、しかも、第二タイン３０Ｂを支持フレーム２９に直接支持する構造としているので、回転リール２０全体の構成がそれ程複雑化しない簡素な構造にできる。
【００４９】
［支持アームの具体構造について］
図３に示されるように、支持アーム２４は、全体として、刈取フレーム１８の後部側における上端部から真っ直ぐ前方に延びてから、前後中間部において下方に向けて「く」の字状（ドッグレッグ状）に屈曲された前下がりの形状となっている。支持アーム２４をこのように前下がりの形状としているので、支持アーム２４の前端部に支持される回転リール２０の位置を低くして、タイン３０の回転軌跡Ｔを、刈刃装置２１の位置よりも所定高さＨだけ下方に下げることが可能な構造となっている。これにより、回転リール２０のタイン３０により、倒伏穀稈を効率的に掻き起こし、刈刃装置２１により刈ることができる。
【００５０】
図３、図７〜図９に示されるように、支持アーム２４には、角パイプからなる第一アーム部材５２と、角パイプからなる第二アーム部材５３と、折り曲げ形状のチャンネル材からなる接続部材５４と、平板からなる第一補強部材５５と、平板からなる第二補強部材５６と、屈曲された平板からなる第三補強部材５７と、平板から鳴る第四補強部材５８と、が備えられている。第一アーム部材５２は、刈取フレーム１８側に連結されている。第二アーム部材５３は、回転リール２０側に連結されている。
【００５１】
接続部材５４の内部に、第一アーム部材５２の前端部と第二アーム部材５３の後端部とを突き合わせた状態で、接続部材５４と第二アーム部材５３と第二アーム部材５３とが互いに溶接固定されている。第一補強部材５５は、第一アーム部材５２と第二アーム部材５３の接続箇所の下方に位置した状態で、第一アーム部材５２と第二アーム部材５３とに溶接固定されている。第二補強部材５６は、第一アーム部材５２の略全長に亘る長さとされ、第一アーム部材５２の下方に位置する状態で、第一アーム部材５２の下面と第二アーム部材５３の下面とに溶接固定されている。第三補強部材５７は、第一アーム部材５２の下方に位置し、第二補強部材５６と横並びに位置する状態で、第一アーム部材５２の下面に溶接固定されている。第四補強部材５８は、第一アーム部材５２の下方において、第二補強部材５６と第三補強部材５７の間に位置する状態で、第一アーム部材５２の下面、第二補強部材５６の側面、第三補強部材５７の側面に溶接固定されている。第二補強部材５６と第三補強部材５７とにはピン孔５９が形成されている。このピン孔５９に連結ピン６０を挿入することにより、リール昇降シリンダ２５の他端が支持アーム２４に回動自在に連結されている。
【００５２】
このような前下がりに屈曲する支持アーム２４を、角パイプ、チャンネル材、平板等の汎用部材の組み合わせのみで製作可能であるので、製造コストを低く抑えることができる。
【００５３】
［別実施形態］
以下、上記実施形態に変更を加えた別実施形態について説明する。以下の各別実施形態は、説明している事項以外は上記実施形態と同様である。また、上記実施形態及び以下の各別実施形態は、矛盾が生じない限り適宜組み合わせることができる。尚、本発明の範囲は、上記実施形態及び以下の各別実施形態に限定されるものではない。
【００５４】
（１）上記実施形態では、支持フレーム２９に支持される複数のタイン３０として、支持フレーム２９の左右方向端部側に位置し、支持フレーム２９に連結された取付フレーム３６に取り付けられるタイン３０と、支持フレーム２９の左右方向中央部側に位置し、支持フレーム２９に直接取り付けられるタイン３０のみが備えられているものが一例に示されているが、これに限られない。支持フレーム２９に支持される複数のタイン３０として、支持フレーム２９の左右方向端部側に位置し、支持フレーム２９に連結された取付フレーム３６に取り付けられるタイン３０と、支持フレーム２９の左右方向中央部側に位置し、支持フレーム２９に直接取り付けられるタイン３０以外の他のタインが備えられていてもよい。
【００５５】
（２）上記実施形態では、支持フレーム２９の左端部側及び右端部側において、夫々、２つのタイン３０を、取付フレーム３６に取り付けているものが例示されているが、これに限られない。例えば、支持フレーム２９の左端部側または右端部側の夫々において取付フレーム３６に取り付けられるタイン３０の数は、１つ、または、３つ以上であってもよい。
【００５６】
（３）上記実施形態では、支持フレーム２９の左端部側のタイン３０、及び、支持フレーム２９の右端部側のタイン３０の両方が、取付フレーム３６に取り付けられているものが例示されているが、これに限られない。例えば、支持フレーム２９の左端部側のタイン３０、及び、支持フレーム２９の右端部側のタイン３０のいずれか一方のみが、取付フレーム３６に取り付けられていてもよい。
【００５７】
（４）上記実施形態では、複数のタイン３０のうち最も左右方向端部に位置するタイン３０が、取付フレーム３６に取り付けられているものが例示されているが、これに限られない。例えば、支持フレーム２９の左右方向端部側において、取付フレーム３６に取り付けられるタイン３０の左右外側に、さらに支持フレーム２９に直接取り付けられる他のタインが備えられていてもよい。
【００５８】
（５）上記実施形態では、取付フレーム３６に取り付けられるタイン３０が、取付フレーム３６と面接触した状態で取付フレーム３６に取り付けられているものが例示されているが、これに限られない。例えば、取付フレーム３６に取り付けられるタイン３０が、取付フレーム３６と面接触ではなく、点接触した状態で取付フレーム３６に取り付けられていてもよい。
【００５９】
（６）上記実施形態では、取付フレーム３６に取り付けられるタイン３０の第一連結部４１が、取付フレーム３６の縦部３７に連結されるものが例示されているが、これに限られない。例えば、タイン３０の第一連結部４１が、取付フレーム３６の上フランジ部３８や下フランジ部３９に連結されていてもよい。
【００６０】
（７）上記実施形態では、側面視で略Ｕ字形状の溝型状の取付フレーム３６が例示されているが、これに限られない。例えば、側面視でＩ字状の取付フレームや、側面視で逆Ｌ字型の取付フレーム、側面視で矩形状の取付フレームであってもよい。
【００６１】
（８）上記実施形態では、取付フレーム３６に取り付けられるタイン３０のうち取付フレーム３６よりも下方部分の形状と、支持フレーム２９に直接取り付けられるタイン３０のうち取付フレーム３６に対応する部分よりも下方部分の形状とが、側面視で同一形状とされているものが例示されているが、これに限られない。例えば、取付フレーム３６に取り付けられるタイン３０のうち取付フレーム３６よりも下方部分の形状と、支持フレーム２９に直接取り付けられるタイン３０のうち取付フレーム３６に対応する部分よりも下方部分の形状とが、側面視で異なる形状とされていてもよい。
【００６２】
（９）上記実施形態では、タイン３０が貫通する状態で支持フレーム２９と取付フレーム３６とを覆うカバー５０が備えられているものが例示されているが、このようなカバー５０が備えられていなくてもよい。
【００６３】
（１０）上記実施形態では、支持フレーム２９に直接取り付けられるタイン３０は、第二バネ部４６が支持フレーム２９の下部に隣り合っている状態で第二連結部４５が支持フレーム２９の上部に連結されることで、支持フレーム２９に取り付けられているものが例示されているが、これに限られない。第二バネ部４６が第二連結部４５と離間した位置に備えられる他のタインや、第二バネ部４６が備えられていない他のタインであってもよい。
【００６４】
（１１）上記実施形態では、複数のタイン３０のうち最も左右方向端部に位置するタイン３０として、第二作用部４７が第二バネ部４６よりも左右方向端部側に位置する状態で設けられているものが例示されているが、これに限られない。複数のタイン３０のうち最も左右方向端部に位置するタインは、第二バネ部４６が第二作用部４７よりも左右方向端部側に位置する状態で設けられていてもよい。
【００６５】
（１２）上記実施形態では、側面視で略六角形状の回転リール２０が例示されているが、これに限られず、側面視で略四角形、略五角形等の多角形の形状の他の回転リールであってもよい。
【産業上の利用可能性】
【００６６】
本発明は、回転駆動されて植立穀稈を掻き込む回転リールが備えられている普通型コンバインにおいて利用できる。
【符号の説明】
【００６７】
２０    ：回転リール
２８    ：リールフレーム
２９    ：支持フレーム
３０    ：タイン
３０Ａ  ：第一タイン（タイン）
３０Ｂ  ：第二タイン（タイン）
３６    ：取付フレーム
４０    ：スリット
４１    ：第一連結部（連結部）
４２    ：第一バネ部（バネ部）
４３    ：第一作用部（作用部）
４５    ：第二連結部（連結部）
４６    ：第二バネ部（バネ部）
４７    ：第二作用部（作用部）
５０    ：カバー
５１    ：留め具
Ｓ      ：空間
【図１】
0006265874.tif 000002
【図２】
0006265874.tif 000003
【図３】
0006265874.tif 000004
【図４】
0006265874.tif 000005
【図５】
0006265874.tif 000006
【図６】
0006265874.tif 000007
【図７】
0006265874.tif 000008
【図８】
0006265874.tif 000009
【図９】
0006265874.tif 000010